(57)【要約】【課題】臨界点を超える冷媒によるヒートポンプサイクルを用いて温熱・冷熱を有効に活用し、極めて効率的な運転が可能な給湯・空調装置を提供すること。【解決手段】給湯機能と空調機能を設け、室内の加熱運転と冷却運転、あるいは、高温度・低除湿能力風と低温度・高除湿能力風の最適な切替を行うとともに、この切替に連動して風向切替を行うようにした。【選択図】　図１
2004020085.tif 000002
【特許請求の範囲】
【請求項１】
圧縮機、給湯用熱交換器、該給湯用熱交換器と並列に配置された放熱用熱交換器、第１膨張弁、室内の空調を行なう空調用熱交換器、第２膨張弁、蒸発器が環状に接続されて構成されるとともに、第１の圧力と該第１の圧力よりも高い第２の圧力との間で圧力が変化し第２の圧力側で臨界点を超える冷媒が流動するヒートポンプサイクル装置と、前記給湯用熱交換器により加熱された給湯用水を貯える貯湯タンクユニットと、空調用熱交換器と熱交換した空気を室内に吹出す送風機と、前記貯湯タンクユニット内に設けられた貯湯タンク内の温度を検知する貯湯タンク内温度検知手段と、室内の温度を検知する室内温度検知手段と、前記貯湯タンク内温度検知手段および前記室内温度検知手段の出力に応じて、前記第１および第２膨張弁の開度と、前記給湯用熱交換器および前記放熱用熱交換器の切替と、室内の加熱運転および冷却運転の切替とを制御する制御装置とを備えたことを特徴とする給湯・空調装置。
【請求項２】
前記空調用熱交換器および前記送風機を空調ユニットに収容するとともに、加熱運転時は吹出し風を第１の方向に吹出す一方、冷却運転時は吹出し風を第１の方向とは異なる第２の方向に吹出す風向制御手段を前記空調ユニットに設けた請求項１に記載の給湯・空調装置。
【請求項３】
圧縮機、給湯用熱交換器、該給湯用熱交換器と並列に配置され給湯用熱交換器をバイパスするバイパス回路、室内の空調を行なう再熱熱交換器、除湿用膨張弁、室内の空調を行なう冷却用熱交換器、主膨張弁、蒸発器が環状に接続されて構成されるとともに、第１の圧力と該第１の圧力よりも高い第２の圧力との間で圧力が変化し第２の圧力側で臨界点を超える冷媒が流動するヒートポンプサイクル装置と、前記給湯用熱交換器により加熱された給湯用水を貯える貯湯タンクユニットと、前記貯湯タンクユニット内に設けられた貯湯タンク内の温度を検知する貯湯タンク内温度検知手段と、室内温度および室内湿度を検知する室内温度・湿度検知手段と、前記貯湯タンク内温度検知手段および前記室内温度・湿度検知手段の出力に応じて、前記除湿用膨張弁および前記主膨張弁の開度と、前記給湯用熱交換器と前記バイパス回路の切替と、室内への吹出し風の温度および湿度とを制御する制御装置とを備えたことを特徴とする給湯・空調装置。
【請求項４】
高温度・低除湿能力風を室内に吹出す第１のモードと、低温度・高除湿能力風を室内に吹出す第２のモードとを設け、前記室内温度・湿度検知手段の出力に応じて、前記制御装置が第１および第２のモード運転を切替えるようにした請求項３に記載の給湯・空調装置。
【請求項５】
前記再熱熱交換器および前記冷却用熱交換器を空調ユニットに収容するとともに、第１のモード運転時は吹出し風を第１の方向に吹出す一方、第２のモード運転時は吹出し風を第１の方向とは異なる第２の方向に吹出す風向制御手段を前記空調ユニットに設けた請求項３あるいは４に記載の給湯・空調装置。
【請求項６】
前記冷媒として二酸化炭素を用いた請求項１乃至５のいずれか１項に記載の給湯・空調装置。
【発明の詳細な説明】
【０００１】
【発明の属する技術分野】
本発明は、高圧側で臨界点を超える冷媒を作動させるヒートポンプサイクルを用い、給湯機能と空調機能を兼ね備えた給湯・空調装置に関する。
【０００２】
【従来の技術】
近年、蒸気圧縮式冷凍サイクルに使用される冷媒の脱フロン対策の一つとして、例えば二酸化炭素（ＣＯ２）を使用した蒸気圧縮式冷凍サイクルが提案されている。二酸化炭素冷媒は、その特性から貯湯式ヒートポンプ給湯機に応用された商品がすでに普及しようとしている。ヒートポンプ給湯機は深夜電力を用いて運転されるのが一般的で、高圧側の凝縮器や、二酸化炭素のような超臨界状態で用いられる冷媒ではガスクーラーにおいて、温熱により給湯用水は加熱されタンクに貯湯される。ＣＯ２を用いたヒートポンプ給湯機は、自然環境への負荷が小さいばかりでなく、安価な深夜電力を用いることができ、成績係数（ＣＯＰ）が１を超えることからランニングコストもガスより優位であり、最近特に注目されている。
【０００３】
また、最近では、浴室の暖房を兼ねた除湿乾燥空調機が普及しつつあり、生活パタ−ンの変化から共働きの家庭では、昼間は洗濯物が干せないこともあり、夜間に洗濯を行ない浴室に洗濯物を干して乾燥させるという使用方法が増えつつある。なお、従来の浴室用除湿乾燥空調機としては、ガス燃焼による温水式、電気ヒーター式あるいはヒートポンプ式があった。
【０００４】
【発明が解決しようとする課題】
しかしながら、ＣＯ２ヒートポンプ給湯機においては、高圧側の温熱は有効に活用されても低圧側の蒸発器において冷熱は大気と熱交換をするだけで、有効に活用されていなかった。
【０００５】
また、浴室用除湿乾燥空調機において、従来のガス温水式あるいは電気ヒーター式は、吸込んだ空気を加熱し循環させるとともに一部の室内空気を屋外に排出し換気することで衣類乾燥を行なうものであり、効率が非常に悪い。さらに、特開平９−２８５６９５号公報に開示されているように、換気風量とヒーターへの通電量を最適化することで効率を改善する発明も提案されているが、まだまだ不十分であった。
【０００６】
一方、ヒートポンプ式においては、蒸発器と凝縮器を直列に配置し、空気の過冷却により水分を除湿し絶対湿度を低下させることは可能である。しかしながら、吸込み空気の温度を大幅に上昇させることは困難であるため、衣類温度を上昇させて水分の蒸発を促進し、雰囲気の相対湿度を下げる効果は小さいという課題を有していた。これを改善するために、特開平６−１３４１９０号公報に開示されているように、加熱運転と冷却運転を交互に行なう発明も提案されている。しかしながら、通常圧縮機を停止すると、高低圧がある程度均圧しないと再起動ができないため、時間のロスが生じるという課題があった。
【０００７】
本発明は、従来技術の有するこのような問題点に鑑みてなされたものであり、超臨界流体を冷媒として用い、給湯あるいは室内空調の単独運転のみならず両モードの同時運転も可能で、両モードの同時運転に際し、温熱・冷熱を有効に活用することにより、極めて効率的な運転が可能な給湯・空調装置を提供することを目的としている。
【０００８】
【課題を解決するための手段】
上記目的を達成するために、本発明のうちで請求項１に記載の給湯・空調装置は、圧縮機、給湯用熱交換器、該給湯用熱交換器と並列に配置された放熱用熱交換器、第１膨張弁、室内の空調を行なう空調用熱交換器、第２膨張弁、蒸発器が環状に接続されて構成されるとともに、第１の圧力と該第１の圧力よりも高い第２の圧力との間で圧力が変化し第２の圧力側で臨界点を超える冷媒が流動するヒートポンプサイクル装置と、前記給湯用熱交換器により加熱された給湯用水を貯える貯湯タンクユニットと、空調用熱交換器と熱交換した空気を室内に吹出す送風機と、前記貯湯タンクユニット内に設けられた貯湯タンク内の温度を検知する貯湯タンク内温度検知手段と、室内の温度を検知する室内温度検知手段と、前記貯湯タンク内温度検知手段および前記室内温度検知手段の出力に応じて、前記第１および第２膨張弁の開度と、前記給湯用熱交換器および前記放熱用熱交換器の切替と、室内の加熱運転および冷却運転の切替とを制御する制御装置とを備えたことを特徴とする。
【０００９】
また、請求項２に記載の発明は、前記空調用熱交換器および前記送風機を空調ユニットに収容するとともに、加熱運転時は吹出し風を第１の方向に吹出す一方、冷却運転時は吹出し風を第１の方向とは異なる第２の方向に吹出す風向制御手段を前記空調ユニットに設けたことを特徴とする。
【００１０】
さらに、請求項３に記載の給湯・空調装置は、圧縮機、給湯用熱交換器、該給湯用熱交換器と並列に配置され給湯用熱交換器をバイパスするバイパス回路、室内の空調を行なう再熱熱交換器、除湿用膨張弁、室内の空調を行なう冷却用熱交換器、主膨張弁、蒸発器が環状に接続されて構成されるとともに、第１の圧力と該第１の圧力よりも高い第２の圧力との間で圧力が変化し第２の圧力側で臨界点を超える冷媒が流動するヒートポンプサイクル装置と、前記給湯用熱交換器により加熱された給湯用水を貯える貯湯タンクユニットと、前記貯湯タンクユニット内に設けられた貯湯タンク内の温度を検知する貯湯タンク内温度検知手段と、室内温度および室内湿度を検知する室内温度・湿度検知手段と、前記貯湯タンク内温度検知手段および前記室内温度・湿度検知手段の出力に応じて、前記除湿用膨張弁および前記主膨張弁の開度と、前記給湯用熱交換器と前記バイパス回路の切替と、室内への吹出し風の温度および湿度とを制御する制御装置とを備えたことを特徴とする。
【００１１】
また、請求項４に記載の発明は、高温度・低除湿能力風を室内に吹出す第１のモードと、低温度・高除湿能力風を室内に吹出す第２のモードとを設け、前記室内温度・湿度検知手段の出力に応じて、前記制御装置が第１および第２のモード運転を切替えるようにしたことを特徴とする。
【００１２】
また、請求項５に記載の発明は、前記再熱熱交換器および前記冷却用熱交換器を空調ユニットに収容するとともに、第１のモード運転時は吹出し風を第１の方向に吹出す一方、第２のモード運転時は吹出し風を第１の方向とは異なる第２の方向に吹出す風向制御手段を前記空調ユニットに設けたことを特徴とする。
【００１３】
また、請求項６に記載の発明は、冷媒として二酸化炭素を用いたことを特徴とする。
【００１４】
【発明の実施の形態】
以下、本発明の実施の形態について、図面を参照しながら説明する。
実施の形態１．
図１は、本発明の実施の形態１にかかる給湯・空調装置を示しており、圧縮機１と、圧縮機１の冷媒吐出側に配置され、冷媒により給湯用水を加熱し高温水を発生する給湯用熱交換器２と、圧縮機１の冷媒吐出側において給湯用熱交換器２と並列に配置され、大気に温熱を放熱する放熱用熱交換器３とが設けられており、給湯用熱交換器２と放熱用熱交換器３の出口には開閉弁２ａ，３ａがそれぞれ取り付けられている。開閉弁２ａ，３ａの下流側には、第１膨張弁４と、室内に配置され室内空気と熱交換して室内の空調を行う空調用熱交換器５と、第２膨張弁６と、未蒸発の冷媒を蒸発する蒸発器７とが設けられており、これらは環状に接続され、冷媒である二酸化炭素が流動するヒートポンプサイクル装置８を構成している。
【００１５】
また、給湯用熱交換器２により加熱された給湯用水は、ポンプ１４により貯湯タンクユニット９に供給されて貯水されるとともに、空調用熱交換器５と熱交換した空気は、送風機１０により室内に吹出される。さらに、貯湯タンクユニット９には、その内部に設けられた貯湯タンク内の温度を検知する貯湯タンク内温度検知手段１１が設けられ、室内には室内温度検知手段１２が設けられており、貯湯タンク内温度検知手段１１および室内温度検知手段１２は、制御装置１３と電気的に接続されている。
【００１６】
貯湯タンク内温度検知手段１１および室内温度検知手段１２の出力は、制御装置１３に入力され、制御装置１３は、貯湯タンク内温度検知手段１１および室内温度検知手段１２の出力に応じて、第１膨張弁４および第２膨張弁６の開度と、給湯用熱交換器２と放熱用熱交換器３の切り替えを制御するとともに、室内の加熱運転および冷却運転を切り換える制御を行っている。
【００１７】
給湯および空調同時運転モードの場合、制御装置１３は、開閉弁２ａは開、開閉弁３ａは閉、第１膨張弁４は全開、第２膨張弁６は適当な絞りを有する開度となるよう制御している。
【００１８】
図２は、浴室の壁に取り付けられた空調用熱交換器５と送風機１０が収容されている空調ユニット１５の配置図である。空調ユニット１５は、吹出し風の上下方向の風向を変更する風向制御手段としてのルーバー１６を備えており、ルーバー１６は、加熱運転時は第１の方向１７の風向き、冷却運転時は第１の方向１７より下方の第２の方向１８の風向きとなるように制御される。なお、１９は洗濯して浴室内に干された衣服を示している。
【００１９】
上記構成の本発明の実施の形態１にかかる給湯・空調装置の作用を、浴室内の衣服１９を乾燥する場合を例にとり以下説明する。
【００２０】
給湯および空調同時運転モードの場合、開閉弁２ａは開、開閉弁３ａは閉の状態となっているので、圧縮機１から吐出された冷媒は給湯用熱交換器２に流入する。超臨界領域で高温高圧状態である冷媒は、給湯用熱交換器２において、貯湯タンクユニット９の下部からポンプ１４により流動する給湯用水と熱交換を行う。冷媒との熱交換により加熱された給湯用水は再び貯湯タンクユニット９に貯えられる一方、給湯用熱交換器２を流出した冷媒は、高温高圧を維持したまま全開の第１膨張弁４を通過し、空調用熱交換器５に流入する。空調用熱交換器５においては、冷媒と浴室内空気との熱交換が行なわれ、送風機１０により浴室内に高温風を吹出す。低温となった冷媒は、適当な絞り開度を有する第２膨張弁６により減圧され、蒸発器７により蒸発した後、圧縮機１に戻る。
【００２１】
この時、空調ユニット１５の吹出し口の上下方向用風向ルーバー１６は上（第１の方向１７）を向いており、高温風は干されている衣服１９に当たり、衣服１９は加熱されて水分が蒸発する。すなわち、浴室内温度が上昇する加熱運転が行われる。浴室内温度の上昇は室内温度検知手段１２により検知され、室内温度検知手段１２の出力は制御手段１３に入力され、制御手段１３は、第１膨張弁４を全開から適当な絞り開度に、そして第２膨張弁６を適当な絞り開度から全開に設定変更する制御を行なう。
【００２２】
従って、給湯用熱交換器２で給湯用水を加熱し超臨界状態にある高温高圧の冷媒は、第１膨張弁４で減圧されて低圧になり、空調用熱交換器５において浴室空気と熱交換して蒸発する。そして送風機１０により浴室内に露点温度以下の冷却風を吹出し浴室内を除湿する冷却運転を行なう。第２膨張弁６は全開になっているので、未蒸発の冷媒が流動しても蒸発器７ですべて蒸発された後、圧縮機１に戻る。空調ユニット１５の上下方向用風向ルーバー１６は下（第２の方向１８）を向いており、冷却風は干されている衣服１９に当たらず周囲の空気を冷却する。
【００２３】
その結果、高温風で加熱された衣服の温度はあまり低下せず、さらに冷却風は衣服の周囲の空気を冷却し除湿するので、乾燥の推進力となる衣服温度に相当する飽和空気の絶対湿度と雰囲気の絶対湿度の差は大きいまま維持される。従って、衣類からの水分蒸発と室内雰囲気中の除湿を有効に行なうことができるので、衣類乾燥を効率よく行うことができ乾燥時間を大幅に短縮することができる。
【００２４】
さらに、このような高温風を吹出す加熱運転および冷却風を吹出す冷却運転を交互に切替える際、圧縮機１を停止させることがないので圧縮機１の停止および再起動時に生じる時間ロスがなく、短時間で効率よく除湿乾燥を行うことができる。
【００２５】
また、貯湯タンクユニット９が高温水で満杯になると、貯湯タンク内温度検知手段１１の出力を受けて、制御装置１３が開閉弁２ａを閉に開閉弁３ａを開にする制御を行なうので、圧縮機１、放熱用熱交換器３、第１膨張弁４、空調用熱交換器５、第２膨張弁６、蒸発器７の構成により、ヒートポンプサイクルを形成し、空調モードの単独運転を行うことができる。この時も、前述の加熱・冷却運転の円滑な切替えおよびその運転に連動した風向の切替えを同様に行うことができるので、同様に衣類乾燥を効率よく行うことができ、乾燥時間を大幅に短縮することができる。
【００２６】
さらに、空調ユニット１５の送風機１０を停止させることで、給湯モードの単独運転が可能であることはいうまでもない。
【００２７】
実施の形態２．
図３は、本発明の実施の形態２にかかる給湯・空調装置を示しており、実施の形態１と同様の構成部品は同様の番号を付し、説明を省略する。
【００２８】
図３に示される給湯・空調装置においては、圧縮機１の冷媒吐出側に給湯用熱交換器２と並列に配置され、給湯用熱交換器２をバイパスするバイパス回路２３が設けられており、バイパス回路２３には、開閉弁２３ａが取り付けられている。
【００２９】
また、室内に設けられる空調ユニット２４内には、再熱熱交換器２５ａと、除湿用膨張弁２６と、冷却用熱交換器２５ｂとが順に接続されており、室内空気を冷却用熱交換器２５ｂにより過冷却して除湿した後、再熱熱交換器２５ａにより加熱して室内空気の温度と湿度を制御する空調を行なう。冷却用熱交換器２５ｂの下流側には、主膨張弁２７と蒸発器２８とが接続されており、これらは環状に接続され、冷媒である二酸化炭素が流動するヒートポンプサイクル装置２９を構成している。
【００３０】
さらに、貯湯タンク内温度検知手段１１とともに、室内温度と湿度の検知手段３０が制御装置３１に電気的に接続されており、貯湯タンク内温度検知手段１１および室内温度・湿度検知手段３０の出力に応じて、制御装置３１は、除湿用膨張弁２６および主膨張弁２７の開度と、給湯用熱交換器２とバイパス回路２３の切り替えを制御するとともに、室内の吹出し風の温度および湿度を制御している。
【００３１】
給湯および空調同時運転モードの場合、制御装置３１は、開閉弁２ａは開、開閉弁２３ａは閉とし、除湿用膨張弁２６と主膨張弁２７はモード検知信号により適当な開度となるよう制御している。
【００３２】
図４は、浴室内に取り付けられた空調ユニット２４の配置図であり、空調ユニット２４は、吹出し風の上下方向の風向を変更するルーバー１６を備えている。ルーバー１６は、加熱運転時は第１の方向１７の風向き、冷却運転時は第１の方向１７より下方の第２の方向１８の風向きとなるように制御される。
【００３３】
上記構成の本発明の実施の形態２にかかる給湯・空調装置の作用を、浴室内の衣服１９を乾燥する場合を例にとり以下説明する。
【００３４】
給湯および空調同時運転モードの場合、開閉弁２ａは開、開閉弁２３ａは閉の状態となっているので、圧縮機１から吐出された冷媒は給湯用熱交換器２に流入する。超臨界領域で高温高圧状態である冷媒は、給湯用熱交換器２において、貯湯タンクユニット９の下部からポンプ１４により流動する給湯用水と熱交換を行う。加熱された給湯用水は再び貯湯タンクユニット９に貯えられる一方、給湯用熱交換器２を流出した冷媒は、高温高圧を維持したまま空調ユニット２４の再熱熱交換器２５ａに流入する。さらに、適当な開度になって絞り機能をもつ除湿用膨張弁２６で減圧された冷媒は、冷却用熱交換器２５ｂに流入した後、全開となっている主膨張弁２７および蒸発器２８を通過して圧縮機１に戻る。
【００３５】
再熱熱交換器２５ａおよび冷却用熱交換器２５ｂは直列に配置され、また冷却用熱交換器２５ｂが風上側に配置されているので、吸込まれた浴室内空気は除湿と温度を制御され浴室に吹出される。その際、制御装置３１により除湿用膨張弁２６と主膨張弁２７の開度とともに蒸発器２８の送風機２８ａの風量を制御することで、再熱熱交換器２５ａの圧力・温度および冷却用熱交換器２５ｂの圧力を設定することが可能となり、高温度・低除湿能力風および低温度・高除湿能力風を吹出すことが可能となる。
【００３６】
そして、空調ユニット２４の吹出し口の上下方向用風向ルーバー１６は高温度・低除湿能力風時には上（第１の方向１７）を向いており、吹出し風は干されている衣服１９に当たり、衣服１９は加熱され水分が蒸発し、雰囲気中の温度および絶対湿度は上昇する。さらに、室内温度・湿度検知手段３０の出力を受けて、制御装置３１は、低温度・高除湿能力風を吹出す上下方向用風向ルーバー１６を下（第２の方向１８）に向けるよう制御を行なう。従って、吹出された低温度・高除湿能力風は干されている衣服１９に当たらないので、衣服温度はあまり低下せず衣服からの水分蒸発を阻害することがないので、雰囲気の絶対湿度を下げることが可能となる。
【００３７】
従って、乾燥の推進力となる衣服温度に相当する飽和空気の絶対湿度と雰囲気の絶対湿度の差は乾燥中大きいまま維持され、衣類からの水分蒸発と室内雰囲気中の除湿を有効に行なうことができるので、衣類乾燥を効率よく行うことができ乾燥時間を大幅に短縮することができる。
【００３８】
さらに、このような高温度・低除湿能力風と低温度・高除湿能力風の切替を、圧縮機１を停止させることなく行うことができるので、圧縮機１の停止および再起動時に生じる時間ロスがなく、短時間で効率よく除湿乾燥を行うことができる。
【００３９】
また、貯湯タンクユニット９が高温水で満杯になると、貯湯タンク内温度検知手段１１の出力を受けて、制御装置１３が開閉弁２ａを閉に開閉弁２３ａを開にする制御を行なうので、圧縮機１、バイパス回路２３、再熱熱交換器２５ａ、除湿用膨張弁２６、冷却用熱交換器２５ａ、主膨張弁２７、蒸発器２８の構成でヒートポンプサイクルを形成し、空調モードの単独運転を行うことができる。この時も、前述の高温度・低除湿能力風と低温度・高除湿能力風運転の円滑な切替えおよびその運転に連動した風向の切替えを同様に行うことができるので、同様に衣類乾燥を効率よく行うことができ、乾燥時間を大幅に短縮することができる。
【００４０】
さらに、空調ユニット２４の送風機１０を停止させることで、給湯モードの単独運転が可能であることはいうまでもない。
【００４１】
【発明の効果】
本発明は、以上説明したように構成されているので、以下に記載されるような効果を奏する。
本発明のうちで請求項１に記載の発明によれば、高圧側で臨界点を超える冷媒を用いたヒートポンプサイクルを基本とし、給湯機能と空調機能を有する装置であり、給湯あるいは空調の単独運転だけでなく、両モードの同時運転も可能となり、温熱および冷熱を有効に活用し効率のよい運転を可能とするとともに、例えば室内の除湿乾燥運転時の加熱・冷却運転を切替えることで効率的な除湿乾燥が可能となる。また、加熱・冷却運転を切替る際、圧縮機を停止させることがないので、圧縮機の停止および再起動時に生じる時間ロスがなく、大幅な乾燥時間の短縮化が可能となる。
【００４２】
また、請求項２に記載の発明によれば、風向制御手段により吹出し風の吹出す方向を制御することができるので、例えば室内に干されている衣類を乾燥する場合、加熱運転時は吹出し風を衣類に向けて吹出す一方、冷却運転時は吹出し風を衣類の周囲に向けて吹出すことができ、衣類からの水分蒸発と室内雰囲気中の除湿を有効に行なうことができる。従って、衣類乾燥を効率よく行うことができ、乾燥時間を大幅に短縮することができる。
【００４３】
さらに、請求項３に記載の発明によれば、高圧側で臨界点を超える冷媒を用いたヒートポンプサイクルを基本とし、給湯機能と再熱除湿が可能な空調機能を有する装置であり、給湯あるいは空調の単独運転だけでなく、両モードの同時運転も可能となり、温熱および冷熱を有効に活用して、効率的な運転を実現できる。また、室内への吹出し風の温湿度を効果的に制御することができるので、短時間で効率よく除湿乾燥を行うことができる。
【００４４】
また、請求項４に記載の発明によれば、高温度・低除湿能力風および低温度・高除湿能力風を実現するモードを設け、室内温度・湿度検知手段の出力に応じて両モード運転を切替えるので、例えば衣類からの水分蒸発と室内雰囲気中の除湿を有効に行なうことができる。従って、衣類乾燥を効率よく行うことができ、乾燥時間を大幅に短縮することができる。
【００４５】
また、請求項５に記載の発明によれば、風向制御手段により吹出し風の吹出す方向を制御することができるので、例えば室内に干されている衣類を乾燥する場合、高温度・低除湿能力風運転時は吹出し風を衣類に向けて吹出す一方、低温度・高除湿能力風運転時は吹出し風を衣類の周囲に向けて吹出すことができ、衣類からの水分蒸発と室内雰囲気中の除湿を有効に行なうことができる。従って、衣類乾燥を効率よく行うことができ、乾燥時間を大幅に短縮することができる。
【００４６】
また、請求項６に記載の発明によれば、冷媒として二酸化炭素を用いているので効果的なフロン対策を行うことができる。
【図面の簡単な説明】
【図１】本発明の実施の形態１にかかる給湯・空調装置の構成図である。
【図２】図１の給湯・空調装置に設けられた空調ユニットを浴室に設けた場合の浴室内の状態を示す概略図である。
【図３】本発明の実施の形態２にかかる給湯・空調装置の構成図である。
【図４】図３の給湯・空調装置に設けられた空調ユニットを浴室に設けた場合の浴室内の状態を示す概略図である。
【符号の説明】
１　圧縮機、　２　給湯用熱交換器、　３　放熱用熱交換器、
２ａ，３ａ，２３ａ　開閉弁、　４　第１膨張弁、　５　空調用熱交換器、
６　第２膨張弁、　７，２８　蒸発器、
８，２９　ヒートポンプサイクル装置、　９　貯湯タンクユニット、
１０，２８ａ　送風機、　１１　貯湯タンク内温度検知手段、
１２　室内温度検知手段、　１３，３１　制御装置、　１４　ポンプ、
１５，２４　空調ユニット、　１６　ルーバー、　２５ａ　再熱熱交換器、
２５ｂ　冷却用熱交換器、　２６　除湿用膨張弁、　２７　主膨張弁、
３０　室内温度・湿度検知手段。
【図１】
2004020085.tif 000003
【図２】
2004020085.tif 000004
【図３】
2004020085.tif 000005
【図４】
2004020085.tif 000006